(57)【要約】治療信号を直接送信する外部作動神経インプラントを提供する。神経系の電気刺激を行う移植可能な装置である。基本的に２つのコイルからなる。その装置の内部には電子部品がない。皮膚の下に移植された受動コイルが脊髄の硬膜上腔にある電極と接続される。能動コイルは前記受動コイルを覆う皮膚に設置される。身体の外側の送信機により生成される治療信号が患者の皮膚を横切る誘導結合により直接送信される。
2006509557.tif 000002
【特許請求の範囲】
【請求項１】
治療信号を直接送信する外部作動神経インプラントであって、それは以下により規定される：
神経系の電気刺激を行う移植可能な装置であり；
基本的に２つのコイルからなり、その装置の内部には電子部品がなく；
皮膚の下に移植された受動コイルが脊髄の硬膜上腔にある電極と接続され；
能動コイルは前記受動コイルを覆う皮膚に設置され；
身体の外側の送信機により生成される治療信号が患者の皮膚を横切る誘導結合により直接送信される［（１）,（１７）］。
【請求項２】
請求項１に述べる革新は、以下により規定される：
前記両コイルは４２Ｓ．Ｗ．Ｇ．（標準ワイヤゲージ）エナメル銅線を食品グレードのアセタール、デルリンから作られた特殊ボビンに巻き付けることにより形成され；
前記能動コイルの巻数は１１００であり、前記受動コイルの巻数は１０００であり；
前記ボビンは円形フェライトポットコアに収容され；
前記送信機は普通のＴＥＮＳ装置よりも部品の数が少なく；
アナログデータの直接送信が電波を使用することなく行われる。
【請求項３】
請求項１に述べる革新は、以下により規定される：
高電圧エネルギー送信ラインを流れる信号が急速に減少することが知られており（２７）；
その後、患者の安全に対するシステムの信頼性を保証するために、電気本線、電子レンジ、テレビ、変電所の近くで、６６ｋＶの高電圧エネルギー送信ラインで、一連の環境テストを行ない、偶発的な誘導も誘導パルスパターンの干渉も観察されなかった（１）。
【請求項４】
請求項１に述べる革新は、以下により規定される：
シリコンは医療装置産業において広く使用され；
特に粘着シリコンゴムは、強力で耐久性の封止を与える良好な粘着特性を有するため、移植可能な医療電子機器の封入に適していることが分かっており（２９）；
医療グレードのシリコンゴムによるインプラントの封入は簡単な成型により達成され；
しかし、移植可能なコイルに選ばれる最適形状は、装置をコンパクトにする外科的要求に加えて、電気的結合の品質に影響するこれらの要因を考慮すべきであり；
０．５ｍｍの医療グレードシリコンシート（501-3,ダウコーニング（Dow Corning））から作られたフリンジ（fringe）を受信機コイルのベースに使用して、皮膚に縫合することにより、手術後の望まれない移動を回避した。
【請求項５】
請求項１に述べる革新は、以下により規定される：
新しいシステムの送信機は、従来の刺激、実験的爆発、周波数変調刺激パターンを含む任意の形の電子治療信号を提供する［（１８）,（１９）,（２０）］。
【発明の詳細な説明】
【技術分野】
【０００１】
本発明は治療信号を直接送信する外部作動の神経インプラントに関する。このような装置は関連医療文献では神経インプラントと呼ばれている。神経インプラントは神経系を電子的に刺激する装置である。神経刺激は、病気や精神的外傷の結果それらの機能を部分的に失っている神経を再生するために人工電気パルスを使用して刺激する手順である（１）。この目的で使用される電気信号は、人間の神経生理学の自然活動と一致していなければならない［（２），（３），（４），（５）］。
【背景技術】
【０００２】
移植電気刺激器は１９６７年に最初に使用された。それらは主に慢性痛みを治療するために開発された（６）。永続性と拡張性のある痛み、特に一般に薬が効かない神経性の痛みの場合、径皮刺激は多数の電極を設置する必要があるうえ皮膚インピーダンスが増加するため適切ではない。痛み領域をさらに有効的に覆うために、移植可能な電極システムを介しての脊髄の直接刺激が必要である（７）。この分野のさらなる臨床的研究により、切断や部分的運動問題がある運動障害に至る下肢の末梢血管疾患のような他の条件で、その方法の治療効果が観察された［（８），（９）］。
【０００３】
現在、大部分のインプラントはアメリカで製造され、主に西側諸国、例えばアメリカ、イギリス、ドイツ、フランス、スペイン、イタリア、オランダ、ベルギー、スウェーデンで使用されている。既存の脊柱刺激器は一般に無線周波数（RF）送信を使用して動作する（７）。これらの装置は、４つの要素すなわち、送信機、アンテナ、受信機及び電極を有する。送信機及びアンテナは外部要素であり、受信機及び電極は外科医によって身体に移植される内部要素である。送信機は、９ボルトのバッテリーによって給電され、ＲＦ信号を発生し、それにより電気衝撃が搬送される。搬送波は約２ＭＨzであり、電子レンジ、振幅変調（ＡＭ）及び周波数変調（ＦＭ）放射線を含む外部線源（outside sources）からの干渉の可能性を最小化するように選択される。これらの電波は外部アンテナを経て、皮膚を通って受信機に中継される。受動受信機はこれらの信号を電気衝撃に変換し、フレキシブルな絶縁ステンレス鋼製ワイヤを介して背角上の電極に供給する（１０）（１１）（１２）。長時間バッテリーを備えた全体的に移植可能なシステムがあるが、結局約５年の間隔で他の外科手順に置き換えられる（７）。
【発明の開示】
【発明が解決しようとする課題】
【０００４】
脊髄刺激を成功させるために基本的に必要なことは、脊髄の適切な部分に有効な刺激を供給して維持することである。刺激感覚異常は目標神経の領域を完全に覆わなければならないし、望まれない部分の感覚を誘発してはならない。神経移植の使用の成功については多くの報告があるが、移植された刺激器の性能については不満があり、そのいくつかは外科技術に関する。現在の移植可能な刺激器システムが遭遇する問題は、次のように分類することができる（１３）。１）電子部品の故障。既存のシステムは電子部品を含む受信機回路の移植に依存している。部品の破損は分からないので、患者は欠陥受信機を取り替える外科手術をうける。２）固定された電気パラメータ。既存のシステムの大部分は一旦移植されると、製造者によってプリセットされた固定電気出力を生成する。刺激モードは製造者によってプリセットされた一定周波数を有するパルスからなる従来のタイプである（図９）。最も複雑化されたシステムのいくつかはいくつかのパラメータの変動を認めているが、この設備は限定され高価である。３）電極位置。手術中、電極が置き違えられるかもしれないし、手術後に電極が移動するかもしれないので、刺激の効率が減少する［（１４），（１５）］。この問題を解決するために最近多接点電極が製造された（１６）。４）高価な装備。現在のインプラントのコストが高いことによりこの臨床認可された方法の広範な使用を制限する。
【課題を解決するための手段】
【０００５】
これらの問題を克服するために、誘導結合原理に基づく新たなインプラントシステムが開発された［（１），（１７）］。それは基本的に２つのコイルからなる。システムの内部には電子部品はない（図２）。したがって、部品の故障による故障は期待されない。このため患者は生涯システムを使用することができる。
【０００６】
新しいシステムは用途が広く、臨床痛み症候群を治療するのに最も有効であると知られている従来の刺激、実験的爆発、周波数変調刺激パターンを含む任意の形の電子治療信号を送信するのに使用することができる（図９、図１０、図１１）［（１８），（１９），（２０）］。
【発明を実施するための最良の形態】
【０００７】
新システムのコイルは、サイズが小さい（能動コイル：径２９ｍｍ、高さ９ｍｍ、受動コイル：径２１ｍｍ、高さ６．５ｍｍ）（図１２）。それらの２つ又は３つは受信コイルアレイを形成するために一緒に使用することができる（図２６）と（図２７）。患者がすることは、受信機コイルアレイの上で一つの送信機コイルを移動して、多接触電極の最も有効なチャンネルを選択することだけである。コイルアレイは、多くの局部（site）の間での電気刺激の切り替えを容易にすることができ、設置、目標設定及び調節の困難性のいくつかを解消する。
【０００８】
新システムの送信機回路は、市販の装置、まして経皮的電気神経刺激器（ＴＥＮＳ）よりも電子部品の数が少ない。したがって、安価で安全な携帯装置であり、たいていの市販の装置には存在しない３つの異なる刺激モード（従来の一定、爆発、周波数変調）提供する。ＲＦインプラントは小型電波送信機を含むので、複雑な構造を有する。新型送信機は、ＴＥＮＳ装置よりも数が少ない電子部品を含むが、アナログデータの直接送信に基づいている（図４）（図５）。
【０００９】
前述した既存のシステムの問題を解決することに加えて、新型インプラントシステムにより与えられる利点は次の通りである。商業的に入手可能な無線周波数脊柱刺激器により送信される信号は、単一相の性質を有し（図１９）（図２０）、それは直流（ＤＣ）を含むことを意味する。極性から生じる電解（electrolysis）は考慮すべき要因である。新しいシステムにより誘導されるパルスは、２相に見えるＤＣ自由信号であり（図１６,１７）、それはリード線の破損と組織壊死を生じる望まれない電解現象を最小化するのに有益である（３）。
【００１０】
これらの要因は、新しいインプラントシステムのコストを減少し、安全と信頼性の追加の利点をもたらす。新しいインプラントは、その単純性のために、既存のシステムより信頼性があることがわかる。革新性を以下に説明する。この装置は本質的に送信コイルと受信コイルの２つの電磁コイルであり、これら通して、患者の皮膚を横切る誘導結合により、神経刺激用の電気信号が送信される［（１），（１７）］。皮膚の下に移植される受動コイルは脊髄の硬膜外空間で電極と接続される（図２）。能動コイルは受動コイルを覆う皮膚の上に設置される（図２）。両コイルは、食品グレードのアセタール、デルリン（delrin）から作られた特殊ボビンに４２Ｓ．Ｗ．Ｇ．（標準ワイヤゲージ）エナメル銅線を１１００回巻くことによって形成されている。能動コイルの巻数は１１００回であり、受動コイルの巻数は１０００回である。ボビンは円形フェライトポットコアに収容されている。次に、試作の受信機コイルを約２ｍｍの壁厚を有する室温効果医療グレードシリコンエラストマーに封入した。普通のＴＥＮＳ装置よりも部品の数が少ない簡単な送信機装置によって生成された治療信号は、電波を使用することなく患者に直接送信される（図４）と（図５）。
【００１１】
磁気結合原理は多くの神経電磁装置（例えばトランス）で使用されているが、フェライトポットコアに収容された電磁コイルは以前、神経移植では使用されなかった。棒形状のフェライトコアを使用する移植可能な骨治癒刺激器があるが、これらのシステムは無線周波数信号の送信を意図しており、それはトランジスター回路では普通である［（２２）,（２３）］。
【００１２】
誘導結合原理で動作する心臓ペースメーカーは、１９６０年にアブラムス（Abrams）とその同僚によって開発され、１９７１年にアイルランドの心臓病学者ネリガン（Neligan）とマレイ（Malley）によって応用されたが、サイズが大きい（径５５ｍｍ）空芯コイルを必要とする［（２４）,（２５）］。大きなインプラントは外科的に好ましくない。新しいシステムでは、コイルはフェライトポットコアに収容される。これは誘導結合を促進するだけでなく、さらに重要なことは、元の心臓ペースメーカーコイルと比較してサイズが７９％減少する（図２１）と（図２４）（２６）。新しい装置は、データのアナログ送信のためのフェライトポットコアを組み込んでいることにより、多電極システムの小型化及び製造が促進される。
【００１３】
高電圧エネルギー送信ラインを流れる信号は急速に減少することが知られている。したがって、これらのラインでの偶発的な誘導は期待されない。その後、患者の安全に対するシステムの信頼性を保証するために、電気本線、電子レンジ、テレビ、変電所の近くで、６６ｋＶの高電圧エネルギー送信ラインで、一連の環境テストを行った。テスト中、偶発的な誘導も誘導パルスパターンの干渉も観察されなかった（１）。
【００１４】
安全テスト中、誘導信号が体温で変化するか否かを見るために、受動コイルの抵抗の温度依存性も研究した。室温（１８℃）で、受動コイルの抵抗を測定し、１２８Ωを得た。次に、同コイルを通常の体温である３７℃の水を収容する水槽に入れて１５分間保持した。１５分後、コイルの抵抗は１３２Ωであった。次に、送信機コイルを刺激器出力に接続し、水槽内の受信機コイルに設置した。このテストは、体温での受動コイルの抵抗が僅かに増加しても、電子工学の公知の原理により、誘導パルスの形状や振幅は差異を生じないことを示した（図１５）と（図１８）（１）。
【００１５】
シリコンは医療装置産業において広く使用されている。特に粘着シリコンゴムは、強力で耐久性の封止を与える良好な粘着特性を有するため、移植可能な医療電子機器の封入に適していることが分かっている（２９）。医療グレードのシリコンゴムによるインプラントの封入は簡単な成型により達成される。しかし、移植可能なコイルに選ばれる最適形状は、装置をコンパクトにする外科的要求に加えて、電気的結合の品質に影響するこれらの要因を考慮すべきである。０．５ｍｍの医療グレードシリコンシートから作られたフリンジ（fringe）を受信機コイルのベースに使用して、皮膚に縫合することにより、手術後の望まれない移動を回避した（図２６，図２７）。
【産業上の利用可能性】
【００１６】
新しいインプラントを製造するには、電子機器、生体適合材料、保管室、管理室を有する作業場が必要である。システムの移植可能な部品（受動コイルと電極）を滅菌するのにガンマ放射線技術が適している。
神経刺激と神経異色の分野で特に訓練された少なくとも神経外科医、麻酔医、心臓学者、物理療法専門家を雇用する専門センターにより、医療的応用が企図されなければならない。このような装置を患者又は医者に直接販売することは正しくない。認可された資格を有する前述の医療センターのみがこれらの装置を購入できるように権限が与えられなければならない。
【図面の簡単な説明】
【００１７】
【図１】新型神経インプラントシステムの全体図。
【図２】受動コイルの全体図。
【図３】能動コイルの全体図。
【図４】皮膚を通しての誘導結合による治療パルスの送信を示す概略図。
【図５】能動コイルを駆動する送信機の回路図。回路部品は《図中の部品の説明》の欄で説明している。
【図６】送信機の電子部品の配置を示す印刷回路基板（縮尺：１／１）。
【図７】部品の位置を示す送信機の拡大印刷回路基板（縮尺：２×１）。
【図８】刺激モードにおいて送信機により生成される単一パルス。パルス形状：非対称二相性パルス、パルス幅：２００μs（送信機回路の抵抗Ｒ５を変更することにより５０μsと４００μsの間で選択することができる）、振幅：１ｋΩ（８０ｍＡ）に対して８０Ｖ。
【図９】従来の刺激モードに対して設定したときに送信機により生成されるパルスパターン。このモードでは、連続パルスが３０Ｈｚと１００Ｈｚの間の一定周期で繰り返される。
【図１０】刺激の爆発モードに対して設定したときの送信機より生成されるパルスパターン。このモードでは、８０Ｈｚの内部周波数を有する８０ｍｓの長列のパルスが１秒間に１．３回繰り返され、各列は７パルスからなる。各列のパルス数、内部周波数、列の繰返し率は、送信機回路に関係部品の値を変更することによって望み通りに選択することができる。
【図１１】周波数変調刺激に対して設定したときに送信機より生成されるパルスパターン。このモードでは、連続パルスは６０ｍｓにわたって、１秒間に１．３回、１１０Ｈｚと５５Ｈｚとの間で変動し、再び速くなる。速いパルスと遅いパルスの周波数は送信機回路の関係部品の値を変更することによって望み通りに選択することができる。
【図１２】能動及び受動コイルに対して最適なサイズを選択するようにテストされたコイル（左から右に向かって、最初のものは能動コイル、他は受像コイル）。
【図１３】能動及び受動コイルを使用した垂直距離テストのグラフ表示。
【図１４】能動及び受動コイルを使用した横距離テストのグラフ表示。
【図１５】能動コイルが直上に置かれたときの受動コイルの（Ｉ）の出力。
【図１６】豚皮膚５ｍｍ厚だけ能動コイルから離したときの受動コイル（Ｉ）の出力。
【図１７】豚皮膚５ｍｍ厚だけ能動コイルから離したときの受動コイル（ＩＩ）の出力。
【図１８】能動コイルが直上に置かれたときに３７℃で動作する受動コイルの（Ｉ）の出力。
【図１９】送信機から５ｍｍの垂直距離だけ空中へ離したときの商業的に入手できる脊髄刺激インプラント（Medtronicモデル：３５２１）の出力。「振幅：９ｍＡ、パルス幅：２００μｓ、パルス形状：非対称矩形。この結果、物理療法中に望まれない直流（ＤＣ）成分を含むことを示している。」
【図２０】送信機から５ｍｍの垂直距離だけ空中へ離したときの商業的に入手できる脊髄刺激インプラント（Averyモデル：３５２１）の出力。「振幅：８ｍＡ、パルス幅：２００μｓ、パルス形状：非対称矩形。この結果、物理療法中に望まれない直流（ＤＣ）成分を含むことを示している。」
【図２１】能動コイルに使用されるフェライトポットコアの技術図面（平面図と断面図）。
【図２２】能動コイルに使用されるコイル形成器の技術図面（平面図と断面図）。
【図２３】能動コイルの封入を示す技術図面（平面図と断面図）。
【図２４】受動コイルに使用されるフェライトポットコアの技術図面（平面図と断面図）。
【図２５】受動コイルに使用されるコイル形成器の技術図面（平面図と断面図）。
【図２６】能動コイル用のコイル形成器の技術図面（平面図と断面図）。
【図２７】新型インプラントの多接点（４接点／３チャンネル）バージョンの技術図面（平面図と断面図）。
【符号の説明】
【００１８】
（１）送信機
（２）能動コイル
（３）受動コイル
（４）フェライトポットコア
（５）４２Ｓ．Ｗ．Ｇ（標準ワイヤゲージ）エナメル銅線
（６）磁束
（７）コイル内電流
（８）送信機装置により供給される治療信号
（９）受動コイルの出力に誘導される治療信号
（１０）脊椎の硬膜上腔に移植された小型電極
（１１）能動及び受動コイルの間の皮膚
（１２）ＣＭＯＳ５５６二重タイマ
（１３）ＣＭＯＳ５５５一重タイマ
（１４）二重タイマの低速信号出力
（１５）二重タイマの高速信号出力
（１６）一重タイマのリセットターミナル
（１７）刺激モード選択スイッチの接続部
（１８）Ｒ１（３０ｋ０．２５Ｗ金属膜抵抗）
（１９）Ｒ２（３０ｋ０．２５Ｗ金属膜抵抗）
（２０）Ｒ３（３０ｋ０．２５Ｗ金属膜抵抗）
（２１）Ｒ４（４３ｋ０．２５Ｗ金属膜抵抗）
（２２）Ｒ５（１．８ｋ０．２５Ｗ金属膜抵抗）
（２３）Ｒ６（３３０Ω０．２５Ｗ金属膜抵抗）
（２４）Ｒ７（１０ｋリニアポテンショメータ）
（２５）Ｒ８（１５０Ω０．２５Ｗ金属膜抵抗）
（２６）Ｒ９（１ｋ金属膜抵抗）
（２７）Ｃ１（０．２２μＦ３５Ｖタンタルキャパシタ）
（２８）Ｃ２（１０μＦ１６Ｖタンタルキャパシタ）
（２９）Ｃ３（０．１μＦ３５Ｖタンタルキャパシタ）
（３０）Ｃ４（０．１μＦ３５Ｖタンタルキャパシタ）
（３１）Ｃ５（４７μＦ１６Ｖタンタルキャパシタ）
（３２）Ｃ６（１μＦ１００Ｖタンタルキャパシタ）
（３３）Ｄ１（１Ｎ４１４８ダイオード）
（３４）Ｄ２（１Ｎ４１４８ダイオード）
（３５）Ｄ３（１Ｎ４１４８ダイオード）
（３６）ＴＲＳ（ＺＴＸ６０５ダーリントントランジスタ）
（３７）ＴＲＦ（８×１増幅出力トランス）
（３８）ＭＰＲ（マイクロ電源レギュレータ）
（３９）ＰＰ３モデルバッテリーからの９Ｖ直流（Ｄ．Ｃ．）入力
（４０）送信機装置からの治療信号の出力
（４１）表示ランプ（低電流ＬＥＤ）
（４２）送信機回路のオプション抵抗（神経インプラントに対する短絡回路、経皮刺激に対して５．１Ω、ＴＥＮＳ適用に対して１Ω）
（４３）能動及び受動コイルを用いた垂直距離テストの結果のグラフ
（４４）能動及び受動コイルを用いた垂直距離テストの結果のグラフ
（４５）能動及び受動コイルを用いた垂直距離テストの結果のグラフ
（４６）能動及び受動コイルを用いた垂直距離テストの結果のグラフ
（４７）能動及び受動コイルを用いた垂直距離テストの結果のグラフ
（４８）能動及び受動コイルを用いた横距離テストの結果のグラフ
（４９）能動及び受動コイルを用いた横距離テストの結果のグラフ
（５０）能動コイルの技術図（平面図）
（５１）能動コイルの技術図（断面図）
（５２）フェライトポットコア
（５３）能動コイル
（５４）コネクタの出力
（５５）能動コイルに使用されるコイル形成器の技術図
（５６）能動コイルに使用されるコイル形成器の技術図（断面図）
（５７）１×４ｍｍはんだ付けターミナル
（５８）能動コイルの封入を示す技術図
（５９）能動コイルの封入を示す技術図（断面図）
（６０）ポリウレタンでの封入
（６１）能動コイル
（６２）表面上の保護スプレー（spray）
（６３）受動コイルの技術図（平面図）
（６４）受動コイルの技術図（断面図）
（６５）フェライトコア
（６６）コイル
（６７）コイルの出力
（６８）受動コイル−Ｉに使用されるコイル形成器の技術図（平面図）
（６９）受動コイル−Ｉに使用されるコイル形成器の技術図（断面図）
（７０）受動コイル−ＩＩに使用されるコイル形成器の技術図（平面図）
（７１）受動コイル−ＩＩに使用されるコイル形成器の技術図（断面図）
（７２）受動コイルに使用されるコイル形成器の技術図（平面図）
（７３）コイル形成器
（７４）コイルの出力
（７５）受動コイルの封入の平面を示す技術図
（７６）受動コイルの封入の側面（Ｉ）を示す技術図
（７７）受動コイルの封入の側面（ＩＩ）を示す技術図
（７８）ベース上の０．７５ｍｍ厚シリコンシート
（７９）１ｍｍ厚医療グレードシリコンを備えた封入
（８０）受動コイル
（８１）コイル出力ワイヤ
（８２）径７．５ｍｍのステンレス鋼チューブから作られたコネクタ
（８３）新型インプラントの３チャンネルバージョンの平面図を示す技術図
（８４）新型インプラントの３チャンネルバージョンの正面図を示す技術図
（８５）４２Ｓ．Ｗ．Ｇ「標準ワイヤゲージ」エナメル銅線
（８６）受動コイルの１ｍｍ距離
（８７）１ｍｍ厚医療グレードシリコンを用いた封入
（８８）受動コイル
（８９）径７．５ｍｍのステンレス鋼チューブから作られたコネクタ
【図１】
2006509557.tif 000003
【図２】
2006509557.tif 000004
【図３】
2006509557.tif 000005
【図４】
2006509557.tif 000006
【図５】
2006509557.tif 000007
【図６】
2006509557.tif 000008
【図７】
2006509557.tif 000009
【図８】
2006509557.tif 000010
【図９】
2006509557.tif 000011
【図１０】
2006509557.tif 000012
【図１１】
2006509557.tif 000013
【図１２】
2006509557.tif 000014
【図１３】
2006509557.tif 000015
【図１４】
2006509557.tif 000016
【図１５】
2006509557.tif 000017
【図１６】
2006509557.tif 000018
【図１７】
2006509557.tif 000019
【図１８】
2006509557.tif 000020
【図１９】
2006509557.tif 000021
【図２０】
2006509557.tif 000022
【図２１】
2006509557.tif 000023
【図２２】
2006509557.tif 000024
【図２３】
2006509557.tif 000025
【図２４】
2006509557.tif 000026
【図２５】
2006509557.tif 000027
【図２６】
2006509557.tif 000028
【図２７】
2006509557.tif 000029
【手続補正書】
【提出日】平成17年3月22日(2005.3.22)
【手続補正１】
【補正対象書類名】特許請求の範囲
【補正対象項目名】全文
【補正方法】変更
【補正の内容】
【特許請求の範囲】
【請求項１】
慢性痛を抑制し、下肢の末梢血管疾患と狭心症を治療し、部分運動問題がある運動障害を抑制する硬膜外脊髄刺激、てんかん性発作の周期と期間を減少する迷走神経刺激、呼吸障害で横隔膜ペーシングする横隔膜神経刺激、パーキンソン病を抑制する脳深部刺激、神経疾患における下垂足を矯正する腓骨神経刺激、難聴を向上する蝸牛刺激に使用され、移植された電極に治療刺激信号を送信する外部作動神経インプラントシステム、又は脳、脊髄、神経、筋肉、骨、又は組織若しくは体器官に対する治療又は記録用の他の移植可能な医療機器であって、
フェライトポットコアに収容され、皮膚の下に移植され、単極、二極、三極、四極、又は多極の移植可能な電極に絶縁細線を介して接続された受動コイルと、
フェライトポットコアに収容され、前記移植された受動コイルを覆う皮膚の上に設置され、フレキシブルケーブルを介して送信機に連結された能動コイルと、
必要な治療に従って電気刺激パルスのプログラム可能なモードを生成し、外部の能動コイルを駆動するように形成された、電源、タイマーカウンター又はマイクロプロセッサ、マイクロコントローラ、増幅器、出力トランスを含む関連電子回路を備えた送信機装置と、からなる神経インプラントシステム。
【請求項２】
前記送信は、フェライトポットコアに収容された能動コイルと受動コイルを通しての経皮的誘導結合による、身体の外側で前記送信機により生成された治療信号の転送と、脳、脊髄、神経、筋肉、骨、又は組織若しくは体器官からの記録又はフィードバック信号の転送とを含む、請求項１に記載の神経インプラントシステム。
【請求項３】
前記送信は、フェライトポットコアに収容された能動コイルと受動コイルを通しての経皮的誘導結合による、脳、脊髄、神経、筋肉、骨、又は組織若しくは体器官からの記録又はフィードバック信号の転送をさらに含む、請求項１に記載の神経インプラントシステム。
【請求項４】
フェライトコアに収容され、移植電極に接続された受動コイルのみを含む完全受動移植部をさらに有し、これにより電子部品の故障又はバッテリー消耗から生じる追加の外科手術の危険性を回避する請求項１に記載の神経インプラントシステム。
【請求項５】
目標神経に沿った多数の局部の間で電気刺激を切り換える多接点電極と組み合わせた受動コイルアレイを構成するために、フェライトポットコアに収容された例えば２又は３の複数の受動コイルをさらに有し、これにより電極設置の困難性を解消する請求項１に記載の神経インプラントシステム。
【手続補正２】
【補正対象書類名】明細書
【補正対象項目名】全文
【補正方法】変更
【補正の内容】
【書類名】明細書
【０００１】
（要約）
本発明は、移植可能電極に刺激治療信号を送信するために、外部から給電され制御される神経インプラントシステムである。このシステムは、基本的に、１つの外部能動コイルと１つの内部受動コイルの２つのコイルからなり、各コイルは誘導結合を促進しコイルのサイズを最小化するフェライトポットコアに収容され、これにより、目標神経に沿った多数の局部の間で電気刺激を切り換える多接点電極の使用を可能とする受動コイルアレイの製造を促進する。このシステムの移植部分は、フェライトポットコアに収容されたコイルのみからなり、完全受動である。皮膚の下に移植される受動コイルは目標神経組織の近傍に設置された電極に、移植された細い医療グレードのワイヤを介して接続される。能動コイルは受動コイルを覆う皮膚に設置される。身体の外側の送信機で生成された治療信号は患者の皮膚を横切る誘導結合によってコイルを通して送信される。
【背景技術】
【０００２】
本発明は特に移植可能な神経刺激器のための外部作動の信号送信システムに関する。このような装置は関連医療文献では神経インプラントと呼ばれている。神経インプラントは神経系を電子的に刺激する装置である。神経刺激は、病気や精神的外傷の結果それらの機能を部分的に失っている神経を再生するために人工電気パルスを使用して刺激する手順である。この目的で使用される電気信号は、人間の神経生理学の自然活動と一致していなければならない。
【０００３】
移植電気刺激器は１９６７年に最初に使用された。それらは主に慢性痛みを治療するための脊髄刺激器として開発された。永続性と拡張性のある痛みの場合、径皮刺激は多数の電極を設置する必要があるうえ皮膚インピーダンスが増加するため適切ではない。痛み領域をさらに有効的に覆うために、移植可能な電極システムを介しての脊髄の直接刺激が必要である。さらなる臨床的研究により、痛みの抑制に加えて、この方法は、他の条件、例えば、下肢の末梢血管疾患と狭心症、部分運動問題がある運動障害を治療する硬膜外脊髄刺激、てんかんを抑制する迷走神経刺激、呼吸障害で横隔膜ペーシングする横隔膜神経刺激、パーキンソン病を抑制する脳深部刺激、下垂足の半身不随患者の歩行を矯正する腓骨神経刺激、難聴患者の聴力を向上する蝸牛刺激でも有効であることが分かった。
【０００４】
既存の移植可能な神経刺激器は無線周波数（ＲＦ）送信と完全移植技術を使用して動作する。ＲＦに基づくインプラントは、４つの要素すなわち、送信機、アンテナ、受信機及び電極を有する。送信機及びアンテナは外部要素であり、受信機及び電極は外科医によって身体に移植される内部要素である。送信機は、９ボルトのバッテリーによって給電され、ＲＦ信号を発生し、それにより電気衝撃が搬送される。搬送波は約２ＭＨzであり、電子レンジ、振幅変調（ＡＭ）及び周波数変調（ＦＭ）放射線を含む外部線源（outside sources）からの干渉の可能性を最小化するように選択される。これらの電波は外部アンテナを経て、皮膚を通って受信機に中継される。受動受信機はこれらの信号を電気衝撃に変換し、絶縁ステンレス鋼製ワイヤを介して、目標神経組織に移植された電極に供給する。長時間バッテリーを備えた全体的に移植可能なシステムは、結局約５年の間隔で他の外科手順に置き換える必要がある。
【０００５】
神経インプランテーションを成功させるために基本的に必要なことは、適切な神経に有効な刺激を供給して維持することである。刺激感覚異常は目標神経の領域を完全に覆わなければならないし、望まれない部分の感覚を誘発してはならない。３８年間の経験のある神経移植の使用の成功については多くの報告があるが、その性能についてはいくつかの不満も出ている。現在の移植可能な刺激器システムが遭遇する問題は、次のように分類することができる。１）電子部品の故障。既存のＲＦインプラントは小型の電子部品を含む受信機回路の移植に依存している。部品の破損は分からないので、患者は欠陥受信機を取り替える外科手術をうける。２）バッテリーの消耗。長寿命バッテリーにより給電される全体的に移植可能な装置は、結局は約５年の間隔で交換が必要であるが、部品の故障とは別に、使用済みバッテリーを交換するために余分の外科手術が必要である。３）プログラミングの困難性。完全に移植可能なシステムを装着した患者は、刺激パラメータの取決めのために何回か病院に行かなければならないが、移植回路を外部からプログラムするのが困難なことがある。４）固定された電気パラメータ。既存のシステムの大部分は一旦移植されると、製造者によってプリセットされた固定電気出力を生成する。刺激モードは製造者によってプリセットされた一定周波数を有するパルスからなる従来のタイプである。最も複雑化されたシステムのいくつかはいくつかのパラメータの変動を認めているが、この設備は限定され高価である。５）電極位置。手術中、電極が置き違えられるかもしれないし、手術後に電極が移動するかもしれないので、刺激の効率が減少する。この問題を解決するために最近多接点電極が製造された。６）高価な装備。現在のインプラントのコストが高いことによりこの臨床認可された方法の広範な使用を制限する。
【０００６】
前述した問題を克服するために、フェライトポットコアにそれぞれ収容された１つの外部コイルと１つの内部コイルを通しての経皮誘導結合の原理に基づく神経インプラントシステムが開発された（図１，図２，図３，図４）。
【０００７】
磁気結合原理は多くの神経電磁装置（例えばトランス）で使用されているが、フェライトポットコアに収容された電磁コイルは以前、神経移植や移植可能な医療装置では使用されなかった。棒形状のフェライトコアを使用する移植可能な骨治癒刺激器があるが、これらのシステムは無線周波数信号の送信を意図しており、それはトランジスター回路では普通である。
【０００８】
誘導結合原理で動作する心臓ペースメーカーは、１９６０年にアブラムス（Abrams）とその同僚によって開発され、１９７１年にアイルランドの心臓病学者ネリガン（Neligan）とマレイ（Malley）によって応用されたが、サイズが大きい（径５５ｍｍ）空芯コイルを必要とする。大きなインプラントは外科的に好ましくない。本システムでは、コイルはフェライトポットコアに収容される。これは誘導結合を促進するだけでなく、さらに重要なことは、元の心臓ペースメーカーコイルと比較してサイズが７９％減少する（図２１，図２４）。本システムのコイルを収容するのに使用されるフェライトポットコアは、受動コイルアレイの製造を容易にし、多接点電極を備えたシステムの使用をコンパクトにし、これにより長期間の有効電気刺激治療のために設置や神経に目標を定めることの困難性の幾つかの問題に効果がある。
【発明の開示】
【０００９】
本発明の目的は、身体に移植された電極に治療刺激信号を送信する改良されたシステム及び方法を提供することである。脊髄刺激器インプラント、迷走神経刺激器インプラント、横隔膜ペーシングインプラント、脳深部刺激器インプラント、歩行矯正器インプラント、蝸牛インプラントを含む移植可能な神経刺激器は、このシステムを利用するのに特に適している。他の移植可能な医療装置は、脳、脊髄、神経、筋肉、骨、又は組織若しくは体器官に対する治療又は記録用のシステムを利用することができる。
【００１０】
システムは、主として４つの要素、すなわち、１つの受動コイルと１つの能動コイルの２つのコイルと、電極と、送信機からなる。受動コイルと電極は身体に移植される内部要素であり、能動コイルと送信機は外部要素である。受動コイルは絶縁細線を介して電極に接続されている。能動コイルは移植された受動コイルを覆う皮膚の上に設置される。送信機により生成される治療信号はフレキシブルケーブルにより能動コイルに連結され、患者の皮膚を横切る誘導結合によりコイルを通して送信される。各コイルはフェライトポットコアに収容され、誘導結合を促進し、コイルのサイズを最小化し、これにより目標神経を有効に選択する多接点電極を使用する受動コイルアレイの製造が容易になる。
【００１１】
本発明の主たる目標は、システムの移植部分が完全に受動的であり、フェライトポットコイルに収容されたコイルのみを有し、これにより電子部品の故障やバッテリー交換のために追加の外科手術の危険性を排除することができることである。
【００１２】
本発明の他の目的や利点は以下の本願発明の詳細な説明で与えられる。
【発明を実施するための最良の形態】
【００１３】
本発明は、移植可能な医療装置、特に神経インプラント、例えば、痛みを抑制し、下肢の末梢血管疾患や冠状動脈疾患のような血管疾患、狭心症や運動障害を治療する脊髄刺激器インプラント、てんかんを抑制する迷走神経刺激器インプラント、呼吸障害で横隔膜ペーシングする横隔膜神経刺激器インプラント、パーキンソン病を抑制する脳深部刺激器インプラント、半身不随における下垂足を矯正する腓骨神経刺激器インプラント、難聴を向上する蝸牛刺激器インプラントのための，外部から給電され制御される信号送信システム［（１），（２），（３），（４），（５），（６），（７），（８），（９），（１０），（１１）］に関する（図１，図４）。
【００１４】
この装置は本質的に受動コイル（３）と能動コイル（２）の２つの電磁コイル［（２），（３）］であり、これらを通して経皮誘導結合により、神経刺激用の電気信号が送信される（図１，図４）。皮膚の下に移植される受動コイル（３）は目標神経組織（図１，２及び４）の近傍に位置する電極（１０）に接続される。能動コイル（２）は移植された受動コイルを覆う皮膚の上に設置される（図１，図３及び図４）、身体の外側の送信機装置（１）によって生成された治療信号（８）はフレキシブル絶縁ケーブルを介して能動コイル（２）に連結され、皮膚（１１）を横切るコイル［（２），（３）］を通して送信される。
【００１５】
両コイルは、食品グレードのアセタール、デルリン（delrin）から作られたボビン（コイル形成器）［（５５），（５６），（５７），（６６），（６７），（６９），（７０），（７１），（７２），（７３），（７４）］に４２Ｓ．Ｗ．Ｇ．（標準ワイヤゲージ）エナメル銅線［（５），（８５）］を巻くことによって形成されている（図２２，図２５）。能動コイル（２）の巻数は１１００回であり、受動コイル（３）の巻数は１０００回である。両コイルの巻数は、適用する治療分野に応じて任意の数に調整することができる。ボビンは円形フェライトポットコア［（４），（５２），（６５）］に設置されている（図２１，図２４）。
【００１６】
内部受動コイル（３）とそのコネクタはシリコン、エラストマー、接着剤、ポリウレタン、又はチタン［（７８），（８７），（６０）］のような医療グレード材料によって、密閉して封入されている（図２３，図２６）。
【００１７】
フェライトポットコア［（４），（５２），（６５）］の中の外部コイル（２）と内部コイル（３）の各ハウジングは、誘導結合とシステムの小型化を促進する。外部能動コイル［（２），（４），（５２），（６５）］は、移植された能動コイル（３）上の横移動に対する結合効率を維持するために、サイズ（径２９ｍｍ、高さ９ｍｍ）が大きい（図３，図１３及び図１４）。内部コイル［（３），（８０），（８８）］は、サイズ（径１４．４ｍｍ、高さ７．５ｍｍ）が十分に小さい（図２，図１２）。それらの２つ又は３つは、受動コイルアレイを形成して多接点電極の使用を可能にするために、一緒に使用することができる（図２１，図２４及び図２７）。患者がすることは、多くの局部（site）の間での電気刺激の切り替えるために、受動コイルアレイの上で一つの能動コイル（２）を移動して、多接触電極の最も有効なチャンネルを選択することだけである。これにより、設置、目標設定及び調節の困難性のいくつかが解消される。
【００１８】
本システムでは、フェライトコア［（４），（５２），（６５）］に収容されたコイル（３）のみからなる移植部は完全能動である（図２，図４）。このため、部品故障又はバッテリー交換による余分な外科手術は全くなく、患者はこのシステムを必要とするだけ長く使用することができる。
【００１９】
新システムの送信機回路（図５）は、一般の携帯型経皮的電気神経刺激器（ＴＥＮＳ）装置よりも電子部品［（１２），（１３），（１４），（１５），（１６），（１７），（１８），（１９），（２０），（２１），（２２），（２３），（２４），（２５），（２６），（２７），（２８），（２９），（３０），（３１），（３２），（３３），（３４），（３５），（３６），（３７），（３８），（３９），（４０），（４１），（４２）］の数が少ない。したがって、安価で、より信頼性のある装置である。一方、それは用途が広く、ある臨床条件で最も有効であると知られている従来の刺激（このモードでは、連続パルスは３０Ｈｚと１００Ｈｚの間の一定周期で繰り返される）、爆発（このモードでは、８０Ｈｚの内部周波数を有する８０ｍｓの長列パルスが１秒間に１．３回繰り返され、各列は７パルスからなる）、周波数変調刺激パターン（このモードでは、速いパルス（１１０Ｈｚ）は１秒間に１．３回、短期間（９０ｍｓ）で減速され（５５Ｈｚ）、再び速くなる）を含む任意の形の電子治療信号を送信する（図８，図９，図１０，図１１）。
【００２０】
既存の全体的に移植可能なＲＦ装置により送信される信号は、単一相の性質を有し（図１９，図２０）、それは直流（ＤＣ）を含むことを意味する。極性から生じる電解（electrolysis）は考慮すべき要因である。このシステムにより誘導されるパルスは、２相のＤＣ自由信号であり（図１６，図１７）、それはリード線の破損と組織壊死を生じる望まれない電解現象を最小化するのに有益である。
【００２１】
これらの要因は、新しいインプラントシステムのコストを減少し、安全と信頼性の追加の利点をもたらす。
【００２２】
患者の安全のために、電気本線、電子レンジ、テレビ、変電所の近くで、高電圧エネルギー送信ラインでの一連の環境テストにより証明されるように、偶発的な誘導も誘導パルスパターンの干渉も観察されなかった。
【００２３】
体温（３７℃）での受動コイル（３）の抵抗が僅かに増加しても、電子工学の公知の原理により、誘導パルス（４０）の形状や振幅は差異を生じない（図１５，図１８）。
【図面の簡単な説明】
【００２４】
【図１】本神経インプラントシステムの全体図である。
【図２】内部受動コイルの全体図である。
【図３】外部能動コイルの全体図である。
【図４】皮膚を通しての誘導結合による治療パルスの送信を示す概略図である。
【図５】能動コイルを駆動する送信機の回路図を示す。回路部品は《図中の部品の説明》の欄で説明している。
【図６】送信機の電子部品の配置のための印刷回路基板（縮尺：１／１）を示す。
【図７】部品の位置を示す送信機の拡大印刷回路基板（縮尺：２×１）を示す。
【図８】刺激モードにおいて送信機により生成される単一パルスである。パルス形状：非対称二相性パルス、パルス幅：２００μs（送信機回路の抵抗Ｒ５を変更することにより５０μsと４００μsの間で選択することができる）、振幅：１ｋΩ（８０ｍＡ）に対して８０Ｖ。
【図９】従来の刺激モードに対して設定したときに送信機により生成されるパルスパターンを示す。このモードでは、連続パルスが３０Ｈｚと１００Ｈｚの間の一定周期で繰り返される。
【図１０】刺激の爆発モードに対して設定したときの送信機より生成されるパルスパターンを示す。このモードでは、８０Ｈｚの内部周波数を有する８０ｍｓの長列のパルスが１秒間に１．３回繰り返され、各列は７パルスからなる。各列のパルス数、内部周波数、列の繰返し率は、送信機回路に関係部品の値を変更することによって望み通りに選択することができる。
【図１１】周波数変調刺激に対して設定したときに送信機より生成されるパルスパターンを示す。このモードでは、連続パルスは６０ｍｓにわたって、１秒間に１．３回、１１０Ｈｚと５５Ｈｚとの間で変動し、再び速くなる。速いパルスと遅いパルスの周波数は送信機回路の関係部品の値を変更することによって望み通りに選択することができる。
【図１２】能動及び受動コイルに対して最適なサイズを選択するようにテストされたコイル（左から右に向かって、最初のものは能動コイル、他は受像コイル）を示す。
【図１３】能動及び受動コイルを使用した垂直距離テストのグラフ表示である。
【図１４】能動及び受動コイルを使用した横距離テストのグラフ表示である。
【図１５】能動コイルが直上に置かれたときの受動コイルの（Ｉ）の出力信号を示す。
【図１６】豚皮膚５ｍｍ厚だけ能動コイルから離したときの受動コイル（Ｉ）の出力信号を示す。
【図１７】豚皮膚５ｍｍ厚だけ能動コイルから離したときの受動コイル（ＩＩ）の出力信号を示す。
【図１８】能動コイルが直上に置かれたときに３７℃で動作する受動コイルの（Ｉ）の出力信号を示す。
【図１９】送信機から５ｍｍの垂直距離だけ空中へ離したときの商業的に入手できる脊髄刺激インプラント（Medtronicモデル：３５２１）の出力信号を示す。振幅：９ｍＡ、パルス幅：２００μｓ、パルス形状：非対称矩形。
【図２０】送信機から５ｍｍの垂直距離だけ空中へ離したときの商業的に入手できる脊髄刺激インプラント（Averyモデル：３５２１）の出力信号を示す。「振幅：８ｍＡ、パルス幅：２００μｓ、パルス形状：非対称矩形。この結果、物理療法中に望まれない直流（ＤＣ）成分を含むことを示している。」
【図２１】能動コイルを収容するのに使用されるフェライトポットコアの技術図面（平面図と断面図）である。
【図２２】能動コイルに使用されるコイル形成器の技術図面（平面図と断面図）である。
【図２３】能動コイルの封入を示す技術図面（平面図と断面図）である。
【図２４】受動コイルを収容するのに使用されるフェライトポットコアの技術図面（平面図と断面図）である。
【図２５】受動コイルに使用されるコイル形成器の技術図面（平面図と断面図）である。
【図２６】受動コイルの封入を示す技術図面（平面図と断面図）である。
【図２７】新型インプラントの多接点（４接点／３チャンネル）バージョンの技術図面（平面図と断面図）である。
【符号の説明】
【００２５】
（１）送信機
（２）能動コイル
（３）受動コイル
（４）フェライトポットコア
（５）４２Ｓ．Ｗ．Ｇ（標準ワイヤゲージ）エナメル銅線
（６）磁束
（７）コイル内電流
（８）送信機装置により供給される治療信号
（９）受動コイルの出力に誘導される治療信号
（１０）脊椎の硬膜上腔に移植された小型電極
（１１）能動及び受動コイルの間の皮膚
（１２）ＣＭＯＳ５５６二重タイマ
（１３）ＣＭＯＳ５５５一重タイマ
（１４）二重タイマの低速信号出力
（１５）二重タイマの高速信号出力
（１６）一重タイマのリセットターミナル
（１７）刺激モード選択スイッチの接続部
（１８）Ｒ１（３０ｋ０．２５Ｗ金属膜抵抗）
（１９）Ｒ２（３０ｋ０．２５Ｗ金属膜抵抗）
（２０）Ｒ３（３０ｋ０．２５Ｗ金属膜抵抗）
（２１）Ｒ４（４３ｋ０．２５Ｗ金属膜抵抗）
（２２）Ｒ５（１．８ｋ０．２５Ｗ金属膜抵抗）
（２３）Ｒ６（３３０Ω０．２５Ｗ金属膜抵抗）
（２４）Ｒ７（１０ｋリニアポテンショメータ）
（２５）Ｒ８（１５０Ω０．２５Ｗ金属膜抵抗）
（２６）Ｒ９（１ｋ金属膜抵抗）
（２７）Ｃ１（０．２２μＦ３５Ｖタンタルキャパシタ）
（２８）Ｃ２（１０μＦ１６Ｖタンタルキャパシタ）
（２９）Ｃ３（０．１μＦ３５Ｖタンタルキャパシタ）
（３０）Ｃ４（０．１μＦ３５Ｖタンタルキャパシタ）
（３１）Ｃ５（４７μＦ１６Ｖタンタルキャパシタ）
（３２）Ｃ６（１μＦ１００Ｖタンタルキャパシタ）
（３３）Ｄ１（１Ｎ４１４８ダイオード）
（３４）Ｄ２（１Ｎ４１４８ダイオード）
（３５）Ｄ３（１Ｎ４１４８ダイオード）
（３６）ＴＲＳ（ＺＴＸ６０５ダーリントントランジスタ）
（３７）ＴＲＦ（８×１増幅出力トランス）
（３８）ＭＰＲ（マイクロ電源レギュレータ）
（３９）ＰＰ３モデルバッテリーからの９Ｖ直流（Ｄ．Ｃ．）入力
（４０）送信機装置からの治療信号の出力
（４１）表示ランプ（低電流ＬＥＤ）
（４２）送信機回路のオプション抵抗（神経インプラントに対する短絡回路、経皮刺激に対して５．１Ω、ＴＥＮＳ適用に対して１Ω）
（４３）能動及び受動コイルを用いた垂直距離テストの結果のグラフ
（４４）能動及び受動コイルを用いた垂直距離テストの結果のグラフ
（４５）能動及び受動コイルを用いた垂直距離テストの結果のグラフ
（４６）能動及び受動コイルを用いた垂直距離テストの結果のグラフ
（４７）能動及び受動コイルを用いた垂直距離テストの結果のグラフ
（４８）能動及び受動コイルを用いた横距離テストの結果のグラフ
（４９）能動及び受動コイルを用いた横距離テストの結果のグラフ
（５０）能動コイルの技術図（平面図）
（５１）能動コイルの技術図（断面図）
（５２）フェライトポットコア
（５３）能動コイル
（５４）コネクタの出力
（５５）能動コイルに使用されるコイル形成器の技術図
（５６）能動コイルに使用されるコイル形成器の技術図（断面図）
（５７）１×４ｍｍはんだ付けターミナル
（５８）能動コイルの封入を示す技術図
（５９）能動コイルの封入を示す技術図（断面図）
（６０）ポリウレタンでの封入
（６１）能動コイル
（６２）表面上の保護スプレー（spray）
（６３）受動コイルの技術図（平面図）
（６４）受動コイルの技術図（断面図）
（６５）フェライトコア
（６６）コイル
（６７）コイルの出力
（６８）受動コイル−Ｉに使用されるコイル形成器の技術図（平面図）
（６９）受動コイル−Ｉに使用されるコイル形成器の技術図（断面図）
（７０）受動コイル−ＩＩに使用されるコイル形成器の技術図（平面図）
（７１）受動コイル−ＩＩに使用されるコイル形成器の技術図（断面図）
（７２）受動コイルに使用されるコイル形成器の技術図（平面図）
（７３）コイル形成器
（７４）コイルの出力
（７５）受動コイルの封入の平面を示す技術図
（７６）受動コイルの封入の側面（Ｉ）を示す技術図
（７７）受動コイルの封入の側面（ＩＩ）を示す技術図
（７８）ベース上の０．７５ｍｍ厚シリコンシート
（７９）１ｍｍ厚医療グレードシリコンを備えた封入
（８０）受動コイル
（８１）コイル出力ワイヤ
（８２）径７．５ｍｍのステンレス鋼チューブから作られたコネクタ
（８３）新型インプラントの３チャンネルバージョンの平面図を示す技術図
（８４）新型インプラントの３チャンネルバージョンの正面図を示す技術図
（８５）４２Ｓ．Ｗ．Ｇ「標準ワイヤゲージ」エナメル銅線
（８６）受動コイルの１ｍｍ距離
（８７）１ｍｍ厚医療グレードシリコンを用いた封入
（８８）受動コイル
（８９）径７．５ｍｍのステンレス鋼チューブから作られたコネクタ


【国際調査報告】
2006509557.tif 000030
2006509557.tif 000031
2006509557.tif 000032